(57)【要約】      （修正有）【課題】室外機の薄型化を図りながら、ファンモータの脱落を抑制することができる、空気調和機の室外機を提供する。【解決手段】空気調和機の室外機１は、筐体２と、筐体の内側に配置されたファンモータ８とを備え、筐体は、底部材２１と、底部材から鉛直方向に伸びる前壁２２とを有しており、前壁は、前壁を貫通する通気孔４３を有する通風部４を有し、ファンモータは、通風部に取り付けられ、前壁は、底部材と単一の部材である。【選択図】図３
2019032092.tif 000002
【特許請求の範囲】
【請求項１】
空気調和機の室外機であって、
筐体と、
前記筐体の内側に配置されたファンモータとを備え、
前記筐体は、底部材と、前記底部材から鉛直方向に伸びる前壁とを有しており、
前記前壁は、前記前壁を貫通する通気孔を有する通風部を有し、
前記ファンモータは、前記通風部に取り付けられ、
前記前壁は、前記底部材と単一の部材である空気調和機の室外機。
【請求項２】
前記筐体は、前記前壁と隣り合うとともに、互いに対向して配置される一対の側壁を有しており、
前記一対の側壁が前記前壁と単一の部材であり、
前記一対の側壁の少なくとも一方が前記底部材に固定されている請求項１に記載の空気調和機の室外機。
【請求項３】
前記底部材は、側部取付部材を有し、
前記側部取付部材は、前記底部材と単一の部材であり、
前記側部取付部材は、前記一対の側壁の少なくとも一方に固定される請求項２に記載の空気調和機の室外機。
【請求項４】
前記一対の側壁の少なくとも一方は、底部取付部材を有し、
前記底部取付部材は、前記側壁と単一の部材であり、
前記底部取付部材は、前記底部材と固定されている請求項２に記載の空気調和機の室外機。
【請求項５】
前記底部材は、下部に設けられた脚部を有し、
前記底部取付部材は、前記底部材及び前記脚部の両方を固定する固定部材を有する請求項４に記載の空気調和機の室外機。
【請求項６】
前記前壁は、前記筐体を貫通する開口部を有し、
前記通風部は、前記開口部を覆っている請求項１から請求項５のいずれかに記載の空気調和機の室外機。
【請求項７】
前記通風部は、前記前壁と単一の部材であり、
前記通風部は、中央に前記ファンモータが取り付けられるとともに、前記ファンモータの周囲に前記通気孔が設けられている請求項１から請求項５のいずれかに記載の空気調和機の室外機。
【請求項８】
前記通風部は、前記通気孔が設けられている部分が、中央部分よりも筐体の外側に突出している請求項７に記載の空気調和機の室外機。
【請求項９】
前記前壁にリブが設けられている請求項１から請求項８のいずれかに記載の空気調和機の室外機。
【発明の詳細な説明】
【技術分野】
【０００１】
本発明は空気調和機の室外機に関する。
【背景技術】
【０００２】
従来、家屋用の空気調和機としては一般的にヒートポンプ方式が採用され、室外機と室内機とに分かれた分離型（セパレート型）が主流である。屋外に室外機が配置され、屋内には室内機が配置され、家屋の外壁を貫通する冷媒配管で室外機と室内機とが接続される。空気調和機の室外機に係る技術が特許文献１に開示されている。
【０００３】
特許文献１に記載された従来の空気調和機はケーシングと、空気熱交換器と、軸流ファンと、ファンモータと、ファンガードと、を備える。軸流ファンはケーシングの空気の吹き出し口である空気流通口に臨み、ファンモータによって回転される。ファンガードは空気流通口に固定される。そして、ファンモータがファンガードの内面に固定される。ファンモータがファンガードに直接取り付けられることで、別部材からなるモータ取付板を必要とせず、室外機のコストダウンを図ることができる。
【先行技術文献】
【特許文献】
【０００４】
【特許文献１】実開昭６２−１０５４３３号公報
【発明の概要】
【発明が解決しようとする課題】
【０００５】
近年、空気調和機の室外機のケーシングは、底面と、上面と、４個の側面とを組み合わせた構成を有している。そして、特許文献１に記載された従来の空気調和機の室外機のように、ファンガードに対して、ファンモータを直接取り付けると、ケーシングのファンガードが取り付けられる側面でモータを支持する。そして、ファンモータが駆動による振動も、ファンガードが取り付けられる側面に作用する。従来のケーシングの側面は、荷重や振動に耐える、すなわち、強度部材としての役割を果たしていない。
【０００６】
そのため、ケーシングの側面に、ファンモータが取り付けられ、その荷重、振動、推力が側面に作用する。その結果、側面の固定が外れて、側面が筐体から分離し、脱落することがある。また、側面の筐体からの脱落により、ファンモータ及び軸流ファンが落下して、ファンモータ及び軸流ファンが破損するおそれがある。
【０００７】
本発明は、上記の点に鑑みなされたものであり、室外機の薄型化を図りながら、ファンモータの脱落を抑制することができる空気調和機の室外機を提供することを目的とする。
【課題を解決するための手段】
【０００８】
本発明の例示的な空気調和機の室外機は、筐体と、前記筐体の内側に配置されたファンモータとを備え、前記筐体は、底部材と、前記底部材から鉛直方向に伸びる前壁とを有しており、前記前壁は、前記前壁を貫通する通気孔を有する通風部を有し、前記ファンモータは、前記通風部に取り付けられ、前記前壁は、前記底部材と単一の部材である。
【発明の効果】
【０００９】
例示的な本発明の空気調和機の室外機によれば、室外機の薄型化を図りながら、ファンモータの脱落を抑制することができる。
【図面の簡単な説明】
【００１０】
【図１】図１は、本発明にかかる空気調和機の室外機の外観を示す概略斜視図である。
【図２】図２は、図１に示す空気調和機の室外機の正面図である。
【図３】図３は、図１に示す空気調和機の室外機の分解斜視図である。
【図４】図４は、図３に示す筐体の底部材と前壁とを形成する金属板を示す図である。
【図５】図５は、通風部にファンモータを取り付けた状態を示す背面図である。
【図６】図６は、通風部にファンモータを取り付けた状態を示す断面図である。
【図７】図７は、本発明にかかる空気調和機の室外機の他の例の正面図である。
【図８】図８は、図７に示す空気調和機の室外機の筐体の製造前の金属板を示す図である。
【図９】図９は、図８に示す金属板を組み立てた状態を背面側から見た斜視図である。
【図１０】図１０は、図７に示す空気調和機の室外機の筐体の製造前の金属板の他の例を示す図である。
【図１１】図１１は、図１０に示す金属板を組み立てた状態を背面側から見た斜視図である。
【図１２】図１２は、空気調和機の室外機の筐体の製造前の金属板を示す図である。
【図１３】図１３は、本発明にかかる空気調和機の室外機の他の例の通風部の断面図である。
【発明を実施するための形態】
【００１１】
以下、本発明の例示的な実施形態について、図面を参照しながら詳細に説明する。本書では、ファンモータの回転軸線が延びる方向を単に「軸線方向」と呼び、ファンモータの回転軸線を中心とする径方向及び周方向を単に「径方向」及び「周方向」と呼ぶ。室外機の吹出し側の開口部が設けられた一面を室外機の前面または正面とする。室外機の前面の反対側の一面を背面とする。また、左右については、前面側から室外機を見たときの左右とする。
【００１２】
＜第１実施形態＞
以下に本発明の例示的な実施形態について図面を参照して説明する。図１は、本発明にかかる空気調和機の室外機の外観を示す概略斜視図である。また、図２は、図１に示す空気調和機の室外機の正面図である。さらに、図３は、図１に示す空気調和機の室外機の分解斜視図である。
【００１３】
＜１．１  空気調和機の室外機の概略構成＞
室外機１は、不図示の室内機との組み合わせで構成される分離型の空気調和機の室外機である。室外機１は、例えばベランダ、屋上等の屋外の床面上に設置される。図３に示すように、室外機１は、筐体２と、通風部４と、電源部５と、圧縮機６と、熱交換器７と、ファンモータ８とを備えている。そして、室外機１において、電源部５と、圧縮機６と、熱交換器７と、ファンモータ８とは、筐体２の内部に配置される。すなわち、空気調和機の室外機１は、筐体２と、筐体２の内側に配置されたファンモータ８とを備えている。
【００１４】
筐体２は、箱型である。筐体２は、例えば、合成樹脂部品と板金部品とで構成される。しかしながら、これに限定されるものではなく、合成樹脂部品で全体を構成してもよいし、板金部品で全体を構成してもよい。また、これら以外の材料で構成してもよい。筐体２は外部に配置されるものであり、雨、風、日照等の天候の変化から、内部の物品を保護できる構成を広く採用できる。
【００１５】
図３に示すように、筐体２は、底部材２１と、前壁２２と、一対の側壁２３および２４と、背面板２５と、天面板２６とを有している。筐体２の詳細については、後述する。
【００１６】
電源部５は、例えば筐体２の内部に設置される不図示の支持部に支持される。電源部５は、外部の商用電源等から電力供給を受けて、室外機１が動作するために必要な電圧を生成する。電源部５は、不図示の電気回路等を用いて整流、降圧、昇圧等を行って室外機１で用いられる各種電圧を生成する。電源部５は、室外機１の各構成要素に電力を供給する。
【００１７】
圧縮機６は、筐体２の底板２１の上面に設置される。圧縮機６は、冷凍サイクルで用いる冷媒を圧縮し、高温高圧気体の冷媒を生成する。圧縮機６が吐出する冷媒は、室外機１の熱交換器７および室内機が収容する熱交換器（不図示）に送られる。
【００１８】
熱交換器７は、筐体２の底板２１の上面に設置される。熱交換器７は、筐体２の側壁２３および背面板２５に設けられた吸込口２８に隣接して配置される。ファンモータ８を駆動すると、外部から吸込口２８を通って筐体２の内部に吸い込まれた外気が熱交換器７を通過する。熱交換器７は、筐体２の内部に吸い込まれた外気との間で熱交換を行う。例えば、空気調和機が冷房運転のとき、熱交換器７に流入した冷媒は、吸込口２８から吸い込まれた外気に熱を渡す。また、空気調和機が暖房運転のとき、熱交換器７に流入した冷媒は、吸込口２８から吸い込まれた外気から熱を奪う。
【００１９】
ファンモータ８は、筐体２の内側に配置される。ファンモータ８は、その回転軸線を略水平にして配置される。ファンモータ８は、インペラ８１と、これを回転させるモータ８２とを組み合わせたものである。ファンモータ８は、後述の通風部４を介して、前壁２２の後述する開口部２２１に取り付けられる。ファンモータ８は、後述の図５等に示すように、モータ８２の回転によってインペラ８１を回転させて、軸線方向の気流を発生させる。空気調和機の室外機１において、インペラ８１の回転によって発生する気流は、開口部２２１から外部に流出する方向である。
【００２０】
その他、室外機１は、不図示の四方弁、膨張弁等の構成要素を備える。四方弁は、冷房運転時、暖房運転時などの異なる運転モードにおいて冷媒の流通方向を切り替えるために設けられる。膨張弁には、開度制御の可能なものが用いられる。
【００２１】
＜１．２  筐体の構成＞
続いて、室外機１の筐体２の詳細について、図面を参照して説明する。底部材２１は、板金部材であり、長方形状の板材である。上述のとおり、圧縮機６および熱交換器７が底部材２１の上面に固定される。
【００２２】
本実施形態にかかる底部材２１および前壁２２は、いずれも、長方形状の板金部材である。前壁２２は、底部材２１と単一の部材で形成されている。すなわち、底部材２１と前壁２２とは、単一の部材で形成されている。なお、ここで、底部材２１と前壁２２とを単一の部材で形成するとは、底部材２１と前壁２２とを同一の材料で、同一の部材として形成することである。すなわち、底部材２１と前壁２２とを一体として形成することである。以下の説明において、２つの部材が、単一の部材であるとの記載がある場合、上述と同様に、２つの部材を一体として形成していることを指す。
【００２３】
本実施形態において、底部材２１および前壁２２は、１枚の金属板（板金）から形成される。図４は、図３に示す筐体の底部材と前壁とを形成する金属板である。図４に示す金属板３は、鋼製の平板、いわゆる、板金である。金属板３は、長方形状の第１領域３１と、長方形状の第２領域３２とを有している。そして、第１領域３１は長辺で、第２領域３
２と隣り合う。つまり、第１領域３１の長辺が境界線Ｂ１である。金属板３を、境界線Ｂ１で折り曲げて、底部材２１および前壁２２が、形成される。なお、第１領域３１が底部材２１になる領域であり、第２領域３２が前壁２２になる領域である。つまり、金属板３において、「領域」は、「面」である。また、金属板３には、第２領域３２に円形の貫通孔３２０が形成されている。この貫通孔３２０が、前壁２２の開口部２２１である。この貫通孔３２０は、折り曲げる前に形成してもよいし、折り曲げ加工と同時に形成してもよい。また、折り曲げ後に形成してもよい。また、図示は省略しているが、貫通孔３２０の隣に、リブ２７となる部分が形成される。
【００２４】
金属板３を折り曲げるときの、第１領域３１と第２領域３２とがなす角度は、直角より小さいことが好ましい。なぜなら、金属板３は、弾性変形による戻りが発生するためである。また、側壁２３および側壁２４を取り付けたときに、弾性力で、前壁２２を側壁２３および側壁２４に押し付ける。これにより、筐体２の剛性を高めることができる。
【００２５】
第１領域３１には、境界線Ｂ１の隣の両辺に設けられた、一対の第１継ぎしろ３１１が形成されている。第１継ぎしろ３１１は、長方形状の板材である。一対の第１継ぎしろ３１１は、第１領域３１に対して折り曲げられる。第１継ぎしろ３１１は、底部材２１の短辺から鉛直方向に起立した一対の側部取付部材２１１となる。すなわち、底部材２１は側部取付部材２１１を有している。そして、側部取付部材２１１は、底部材２１と単一の部材となっている。また、第１領域３１の境界線Ｂ１と反対側の長辺には、第２継ぎしろ３１２が設けられている。第２継ぎしろ３１２も、第１領域３１に対して折り曲げられる。第２継ぎしろ３１２は、底部材２１の長辺から鉛直方向に起立した背面取付部材２１２となる。
【００２６】
底部材２１は、下面に設けられた２個の脚部２０を有している。すなわち、底部材２１は、下面に設けられた脚部２０を有している。脚部２０は、底部材２１の長手方向の両端の近傍に設けられており、脚部２０は、底部材２１の短辺よりも長い長尺状である。脚部２０は、底部材２１を鉛直方向に見たとき、底部材２１の長辺から突出した部分を有している。脚部２０を備えていることで、空気調和機の室外機２が、底部材２１の短手方向に倒れにくくなる。脚部２０は、一面が開口する箱型であってもよいし、板状或いは棒状の部材であってもよい。なお、空気調和機の室外機２では、設置面に配置された設置台（不図示）の上に配置されることが多い。このような場合、脚部２０は、設置台に固定される。
【００２７】
前壁２２は、長方形状の板材である。前壁２２は、底部材２１の一方の長辺と接続され、底部材２１と直角をなす。すなわち、筐体２は、底部材２１と、底部材２１から鉛直方向に延びる前壁２２とを有している。
【００２８】
前壁２２には、前壁２２を貫通する、開口部２２１が設けられている。すなわち、前壁２２には、筐体２を貫通する開口部２２１が設けられている。開口部２２１の形状は、特に限定されないが、本実施形態では円形である。空気調和機の室外機１において、開口部２２１は吹出口として用いられる。
【００２９】
なお、前壁２２の左側の辺は、側壁２３の後述する前リブ２３１に固定される。また、前壁２２の右側の辺は、側壁２４の後述する前リブ２４１に固定される。前壁２２と、前リブ２３１および前リブ２４１との固定は、固定部材Ｆｐを用いた固定としている。固定部材Ｆｐとしては、ここでは、ねじを挙げることができるが、これに限定されない。例えば、リベット、スクリューリベット、プッシュリベット等を挙げることができる。また、固定部材Ｆｐを用いずに、溶接、ロウ付け等の固定構造で固定してもよい。前壁２２と前リブ２３１および前リブ２４１とを固定できる構造を広く採用することができる。
【００３０】
前壁２２には、上下方向または左右方向に延びる凹凸であるリブ２７が設けられている。リブ２７を設けることで、筐体２自体の揺れ、共振を抑制する。例えば、リブ２７が、上下方向延びる構成の場合、筐体２が、上下方向の中間部分で折れるのを抑制することができる。リブ２７が前壁２２の上端から下端まで到達する形状であってもよい。また、リブ２７が左右方向に延びる構成の場合、圧縮機６やファンモータ８の振動の側壁２３、２４への、伝播を抑制することができる。リブ２７が前壁２２の左端から右端まで到達する形状であってもよい。
【００３１】
なお、本実施形態では、前壁２２にリブ２７を設けているが、側壁２３、側壁２４、背面板２５または天面板２６の少なくとも一つに形成されていてもよい。また、リブ２７に限定されるものではなく、別部材を取り付ける構成であってもよい。すなわち、前壁２２にリブ２７が設けられている。
【００３２】
背面板２５も、板金部材であり、長方形状の板材である。背面板２５は、一辺を背面取付部材２１２に固定される。これにより、背面板２５は、底部材２１の一方の長辺と接続され、底部材２１と直角をなす。背面板２５は、複数個の吸込口２８を備えている。吸込口２８は、背面板２５を貫通する。吸込口２８は、筐体２を貫通する貫通孔である。ファンモータ８の駆動によって、筐体２内部の空気が開口部２２１から吹出される。これにより、吸込口２８から、外部の空気が筐体２の内部に吸い込まれる。
【００３３】
なお、背面板２５の左側の辺は、側壁２３の後述する後リブ２３２に固定される。また、背面板２５の右側の辺は、側壁２４の後述する後リブ２４２に固定される。背面板２５と、後リブ２３２および後リブ２４２との固定は、前壁２２と前リブ２３１および前リブ２４１との固定で示した固定構造のいずれかを利用してもよい。ここでは、固定部材Ｆｐとしてねじを用いている。
【００３４】
側壁２３も、板金部材であり、長方形状の板材である。側壁２３は、底部材２１の一方の短辺と接続され、底部材２１と直角をなす。側壁２３は、前壁２２の左に配置されている。側壁２４は、底部材の他方の短辺と接続され、底部材２１と直角をなす。側壁２４は、前壁２２の右に配置されている。側壁２３および側壁２４は、互いに対向して、対をなす側壁である。すなわち、一対の側壁２３、２４は、前壁２２と隣り合うとともに、互いに対向して配置される。
【００３５】
側壁２３は、短辺の一方を側部取付部材２１１に固定される。側壁２３と側部取付部材２１１との固定は、前壁２２と前リブ２３１および前リブ２４１との固定で示した固定構造のいずれかを利用してもよい。ここでは、固定部材Ｆｐとしてねじを用いている。
【００３６】
また、側壁２３は、長辺から延びる前リブ２３１と、後リブ２３２とを備えている。前リブ２３１は、前壁２２の左側の辺に固定される。また、後リブ２３２は、背面板２５の左側の辺に固定される。さらに、側壁２３には、吸込口２８が複数個設けられている。なお、吸込口２８は、背面板２５に設けられている吸込口２８と同様、外部の空気を筐体２の内部に吸い込む開口である。
【００３７】
側壁２４は、短辺の一方を側部取付部材２１１に固定される。なお、側壁２３と側部取付部材２１１との固定は、前壁２２と前リブ２３１および前リブ２４１との固定で示した固定構造のいずれかを利用してもよい。ここでは、固定部材Ｆｐとしてねじを用いている。また、側壁２４は、長辺から延びる前リブ２４１と、後リブ２４２とを備えている。前リブ２４１は、前壁２２の右側の辺に固定される。また、後リブ２４２は、背面板２５の右側の辺に固定される。
【００３８】
なお、側壁２３および側壁２４は、ともに、底部材２１に固定される。しかしながら、側壁２３および側壁２４が前壁２２に固定されている場合、側壁２３および側壁２４のどちらか一方が、底部材２１に固定されていても、筐体２の強度を保つことができる。すなわち、側部取付部材２１１が、一対の側壁２３、２４の少なくとも一方に固定されてもよい。
【００３９】
前壁２２、側壁２３、側壁２４及び背面板２５は、底部材２１の上面に固定されたとき、筒状となる。底部材２１に固定された、前壁２２、側壁２３、側壁２４及び背面板２５は、上方から見たときに長方形である。そして、筒形状の上面に、天面板２６が取り付けられる。天面板２６も、長方形状の板金部材である。
【００４０】
天面板２６は、長方形の各辺から鉛直下向きに延びる、固定壁２６１が設けられる。固定壁２６１は、天面板２６に対して鉛直方向に見たときの形状が長方形の筒状である。天面板２６は、下部を底部材２１に固定された、前壁２２、側壁２３、側壁２４及び背面板２５の上部に配置される。このとき、固定壁２６１は、前壁２２、側壁２３、側壁２４及び背面板２５の外面と接触する。そして、固定壁２６１は、前壁２２、側壁２３、側壁２４及び背面板２５のそれぞれと固定される。なお、固定構造は、前壁２２と前リブ２３１および前リブ２４１との固定で示した固定構造のいずれかを利用してもよい。ここでは、固定部材Ｆｐとしてねじを用いている。
【００４１】
＜１．３  通風部の構成＞
続いて、通風部４について図面を参照して説明する。図５は、通風部にファンモータを取り付けた状態を示す背面図である。図６は、通風部にファンモータを取り付けた状態を示す断面図である。なお、図６において、ファンモータ８は、その配置を示すものであるため、概略形状を示している。
【００４２】
通風部４は、前壁２２の開口部２２１を覆う。通風部４は、開口部２２１の形状に対応した円形である。通風部４の形状は、円形以外であっても良い。通風部４は、前壁２２とは別部材である。通風部４は、例えば合成樹脂で構成される。通風部４は、例えばねじ等の固定部材Ｆｐを用いて前壁２２に固定される。通風部４は、合成樹脂に限定されるものではなく、金属製であってもよい。通風部４は、ファンモータ８を支持することができる、剛性を有する構成を広く採用することができる。また、通風部４の前壁２２への固定は、ねじに限定されない。固定構造は、前壁２２と前リブ２３１および前リブ２４１との固定で示した固定構造のいずれかを利用してもよい。
【００４３】
通風部４は、円板部４０と、リブ部４１と、ガード部４２と、通気孔４３とを備えている。円板部４０は、通風部４の中央に形成された円形部分である。円板部４０には、ファンモータ８が取り付けられる。すなわち、ファンモータ８は、通風部４に取り付けられる。ファンモータ８は、ここでは、ねじで固定されているが、これに限定されない。駆動時を含めて、ファンモータ８が円板部４０に対して移動しない固定構造を広く採用することができる。
【００４４】
リブ部４１は、円板部４０から径方向に延びている。リブ部４１は複数個備えられており、周方向に等間隔に配列されている。そして、ガード部４２は、円板部４０の周囲に配置され、周方向に延びる。ガード部は複数個備えられており、径方向に配列されている。通気孔４３は、周方向に延び、通風部４を軸線方向に貫通している。つまり、通気孔４３は、通風部４で開口部２２１を覆ったとき、前壁２２を貫通している。通気孔４３は、ファンモータ８の駆動によって発生する空気が吹出す開口である。すなわち、前壁２２は、前壁２２を貫通する通気孔４３を有する通風部４を有する。そして、通風部４は、中央に
ファンモータ８が取り付けられるとともに、ファンモータ８の周囲に通気孔４３が設けられている。
【００４５】
図５に示すように、リブ部４１とガード部４２とは、単一の部材で形成されている。つまり、通気孔４３は、リブ部４１と、ガード部４２とで囲まれている。なお、通風部４の形状は、これに限定されない。例えば、六角形状の通気孔４３が、２次元配列された構造、すなわち、ハニカム構造であってもよい。
【００４６】
図５に示すように、複数のリブ部４１及び複数のガード部４２を備えることで、通気孔４３から人の手指が筐体２の内部に入ることを抑制する。また、通風部４を用いることで、通風部４の外面と、ファンモータ８のインペラ８１との間の隙間Ｌを大きくすることができる。これにより、通気孔４３から人の手指が侵入した場合でも、手指がインペラ８１に接触しにくくなる。そのため、人の手指が傷つくのを抑制することができる。また、複数のリブ部４１及び複数のガード部４２は、通気孔４３から筐体２の内部に異物が混入することも抑制できる。
【００４７】
＜１．４  室外機の底部材および前壁の構成＞
続いて、室外機１の底部材２１と前壁２２とについて説明する。図３に示すように、空気調和機の室外機１において、ファンモータ８は、通風部４に取り付けられる。そして、通風部４が、全面板２２に取り付けられる。このとき、通風部４は、開口部２２１の軸線方向の外側を覆う。すなわち、通風部４は、開口部２２１を覆っている。また、通風部４は、ねじ等の固定部材を用いて、前壁２２に対して、分離可能に取り付けられていてもよい。
【００４８】
前壁２２に取り付けられた通風部４には、ファンモータ８が取り付けられている。そのため、前壁２２には、それ自体および通風部４に加えて、ファンモータ８の重量が作用する。また、ファンモータ８の駆動による振動や気流の発生による軸力も作用する。つまり、前壁２２と、側壁２３、側壁２４および天面板２５とを固定している固定部材Ｆｐに振動および力が作用する。そのため、これらの固定部材Ｆｐは外れやすくなる。
【００４９】
従来の室外機のように、前壁２２を底部材２１に固定部材で固定している構成の場合、底部材２１と前壁２２を固定している固定部材Ｆｐが外れる場合がある。そして、固定部材Ｆｐが外れると、前壁２２の下部が、底部材２１から外部に脱落し、前壁２２が、筐体２の内側に倒れる。このように、前壁２２が内側に倒れると、ファンモータ８が、筐体２の内部の構成要素と接触する。これにより、ファンモータ８のインペラ８１やモータ８２が破損してしまう場合がある。また、ファンモータ８が駆動状態であると、構成要素をインペラ８１またはモータ８２の回転子が、構成要素と衝突し、構成要素を破損してしまう。また、前壁２２は、下部が脱落したのち、外側に倒れる場合がある。ファンモータ８が駆動状態の場合、インペラ８１の回転で、人の手足を傷つけてしまう場合がある。また、筐体２の外部の物品に接触して、破損、破壊してしまうこともある。
【００５０】
本実施形態にかかる空気調和機の室外機１では、底部材２１と前壁２２とが、単一の部材である。前壁２２を固定する固定部材Ｆｐの一部またはすべてが外れたとしても、前壁２２と底部材２１とが分離されない。これにより、固定部材Ｆｐの一部またはすべてが外れても、前壁２２の下部の、底部材２１からの脱落および前壁２２が倒れるのを抑制できる。これにより、ファンモータ８自体の破損、筐体２の内部の構成要素の破損および人の手足を傷つけるのを抑制することができる。
【００５１】
つまり、本実施形態にかかる空気調和機の室外機１は、ファンモータ８を通風部４を介して、前壁２２に取り付けるため、室外機１を薄型化できる。そして、前壁、すなわち、
前壁２２を、底部材、すなわち、底部材２１と単一の部材として構成することで、ファンモータ８の脱落を抑制できる。つまり、空気調和機の室外機を薄型化しつつ、ファンモータ８の脱落を抑制できる。
【００５２】
なお、本実施形態にかかる筐体２は、板金部材を組み合わせたものとしているが、これに限定されない。例えば、合成樹脂の成型体であってもよい。
【００５３】
＜２．第２実施形態＞
＜２．１  室外機の筐体の構成＞
次に、本発明の例示的な第２実施形態の空気調和機の室外機について説明する。図７は、本発明にかかる空気調和機の室外機の他の例の正面図である。図８は、図７に示す空気調和機の室外機の筐体の製造前の金属板を示す図である。図９は、図８に示す金属板を組み立てた状態を背面側から見た斜視図である。なお、本実施形態の空気調和機の室外機１Ｂの、基本的な構成は先に説明した第１実施形態の室外機１と同じである。そのため、本実施形態の室外機１Ｂの、第１実施形態の室外機１と共通する部分には、同じ符号を付す。また、実質上、同じ部分の説明は、省略する。
【００５４】
空気調和機の室外機１Ｂは、筐体２Ｂを備えている。筐体２Ｂは、底部材２１ｂと、前壁２２ｂと、側壁２３ｂと、側壁２４ｂと、天面板２５と、背面板（不図示）を有している。筐体２Ｂは、底部材２１ｂと前壁２２ｂとが、単一の部材で形成されている。また、筐体２Ｂは、前壁２２ｂと側壁２３ｂおよび側壁２４ｂとが、単一の部材で形成されている。すなわち、一対の側壁２３ｂ、２４ｂが前壁２２と単一の部材である。
【００５５】
図８に示すように、底部材２１ｂ、前壁２２ｂ、側壁２３ｂおよび側壁２４ｂは、１枚の金属板３Ｂから形成されている。金属板３Ｂは、第１領域３１と、第２領域３２と、第３領域３３と、第４領域３４とを備えている。第１領域３１と、第２領域３２と、第３領域３３と、第４領域３４とは、長方形状である。第１領域３１と第２領域３２とは、隣り合う。また、第２領域３２の第１領域３１との境界線Ｂ１と隣接する２辺のそれぞれは、第３領域３３および第４領域３４が隣り合う。第２領域３２と第３領域３３との境界を境界線Ｂ２とする。また、第２領域３２と第４領域３４との境界を境界線Ｂ３とする。
【００５６】
金属板３Ｂを、境界線Ｂ１で折り曲げて、底部材２１および前壁２２が、形成される。また、金属板３Ｂを、境界線Ｂ２で折り曲げて、側壁２３ｂが、形成される。金属板３Ｂを、境界線Ｂ３で折り曲げて、側壁２４ｂが、形成される。つまり、金属板３Ｂにおいて、第３領域３３が、側壁２３ｂとなる。また、金属板３Ｂにおいて、第４領域３４が、側壁２４ｂとなる。なお、弾性変形による戻りを考慮して、側壁２３ｂと前壁２２との角度および側壁２４ｂと前壁２２との角度も、直角よりも小さいことが好ましい。
【００５７】
金属板３Ｂにおいて、第３領域３３の境界線Ｂ２と反対側の辺には、第３継ぎしろ３３１が形成されている。第４領域３４の境界線Ｂ３と反対側の辺には、第４継ぎしろ３４１が形成されている。第３継ぎしろ３３１は、第３領域３３に対して折り曲げられる。第３継ぎしろ３３１は、側壁２３ｂの後リブ２３２となる。第４継ぎしろ３４１は、第４領域３４に対して折り曲げられる。第４継ぎしろ３４１は、側壁２４ｂの後リブ２４２となる。
【００５８】
そして、折り曲げられて形成された側壁２３ｂは、底部材２１の短辺から延びる一対の側部取付部材２１１の一方と固定される。また、折り曲げられて形成された側壁２４ｂは、底部材２１の短辺から延びる一対の側部取付部材２１１の他方と固定される。
【００５９】
このように、筐体２Ｂでは、前壁２２と、側壁２３および側壁２４とが単一の部材とし
て形成されている。前壁２２に、通風部４を介して、ファンモータ８を取り付けたとき、ファンモータ８は、前壁２２に対して偏った位置に設けられている。そのため、ファンモータ８の重量、気流の発生による反作用としての軸力は、前壁２２を内側に傾く方向に作用する。筐体２Ｂのように、側壁２３および側壁２４を、前壁２２と一体に形成することで、前壁２２を内側に倒す力に対抗することができる。また、側壁２３および側壁２４と前壁２２との固定が不要であるため、組み立てに要する手間と時間を削減することができる。
【００６０】
なお、本実施形態では、側壁２３ｂおよび側壁２４ｂの両方が、側部取付部材２１１に固定されていた。しかしながら、これに限定されるものではなく、少なくとも一方が固定されるものであってもよい。また、固定は、前壁２２と前リブ２３１および前リブ２４１との固定で示した固定構造のいずれかを利用してもよい。ここでは、固定部材Ｆｐとしてねじを用いている。
【００６１】
これ以外の特徴については、第１実施形態と同じである。
【００６２】
＜２．２  第２実施形態の室外機の変形例＞
続いて、第２実施形態の室外機１の変形例について説明する。図１０は、図７に示す空気調和機の室外機の筐体の製造前の金属板の他の例を示す図である。図１１は、図１０に示す金属板を組み立てた状態を背面側から見た斜視図である。本変形例で示す、金属板３Ｂ２は、金属板３Ｂの第１領域３１に設けられていた第１継ぎしろ３１１に替えて、第３領域３３および第４領域３４に設けられた、第５継ぎしろ３３０と、第６継ぎしろ３４０とが設けられている。これ以外の部分は、同じ構成であるため、同じ部分には同じ符号を付すとともに、同じ部分の詳細な説明は省略する。
【００６３】
図１０に示すように、金属板３Ｂ２には、第３領域３３の第１領域３１と近い短辺に設けられた、第５継ぎしろ３３０が設けられている。金属板３Ｂ２には、第４領域３４の第１領域３１と近い短辺に設けられた、第６継ぎしろ３４０が設けられている。第５継ぎしろ３３０は、第３領域３３に対して折り曲げられて、底部取付部材２３３となる。また、第６継ぎしろ３４０は、第４領域３４に対して折り曲げられて、底部取付部材２４３となる。底部取付部材２３３および底部取付部材２４３は、それぞれ、底部材２１ｂの短辺と近接し、底部材２１ｂに固定される。
【００６４】
すなわち、一対の側壁２３ｂ、２４ｂの少なくとも一方に同一部材として形成された底部取付部材２３３、２４３が設けられている。そして、底部取付部材２３３、２４３が底部材２１と固定されている。固定は、前壁２２と前リブ２３１および前リブ２４１との固定で示した固定構造のいずれかを利用してもよい。ここでは、固定部材Ｆｐとしてねじを用いている。
【００６５】
なお、固定部材Ｆｐとしてねじを用いる場合、固定部材Ｆｐは、底部材２１ｂを貫通する場合がある。固定部材Ｆｐが貫通すると、固定部材Ｆｐの先端が、室外機１を設置するときに、邪魔になる場合がある。そこで、図１１に示すように、筐体２Ｂ２では、脚部２０が、底部取付部材２３３および底部取付部材２４３と上下に重なる位置に設けられている。そして、底部取付部材２３３および底部取付部材２４３を貫通した固定部材Ｆｐが、底部材２１および脚部２０を貫通して、固定されている。すなわち、底部取付部材２３３、２４３は、底部材２１及び脚部２０の両方を固定する固定部材Ｆｐを有する。
【００６６】
この構成によると、側壁２３ｂおよび側壁２４ｂを脚部２０に固定している。これにより、側壁２３ｂおよび側壁２４ｂが倒れるのを抑制することができる。
【００６７】
＜３．第３実施形態＞
＜３．１  室外機の筐体の構成＞
次に、本発明の例示的な第３実施形態の空気調和機の室外機について説明する。図１２は、空気調和機の室外機の筐体の製造前の金属板を示す図である。なお、本実施形態の空気調和機の室外機の、基本的な構成は先に説明した第２実施形態の室外機と同じである。
【００６８】
本実施形態にかかる、空気調和機の室外機は、前壁２２と通風部４とが単一の部材で形成されている。すなわち、図１２に示す、金属板３Ｃでは、開口部２２１となる貫通孔を形成する部分に、通風部４Ｃを形成する。つまり、貫通孔を形成する予定の部分に、円形部４０ｃを中心として、周囲に複数個の通気孔４３ｃを形成する。このように構成することで、金属板３Ｃのリブ部４１ｃおよびガード部４２ｃが形成される。部品点数を減らすことができる。これにより、空気調和機の室外機１を薄型化できるとともに、重量を削減することができる。
【００６９】
通気孔４３は、金属板３Ｃに貫通孔をプレス加工等で形成される場合がある。金属板にプレス加工で貫通孔を形成する場合、貫通孔の辺縁部分が、尖る場合がある。このように、貫通孔の辺縁部分が尖ると、人の指が接触したときに傷つけやすい。また、人の服等の物品も引っかかりやすい。そのため、通気孔４３ｃの辺縁は、角を丸める加工が施されていることが好ましい。すなわち、通気孔４３ｃの辺縁部は、少なくとも外側の角を丸めておけばよい。そこで、プレス加工の刃の侵入方向を、外面側から内面側とする。プレス加工で貫通孔を形成する場合、刃が侵入する面側の辺縁は、角が尖りにくい。これにより、外側の辺縁部分の角を丸めることが可能である。なお、角を丸めるとは、角を曲面上に加工するものを含むとともに、角に手指が触っても、傷つかない程度の角度にする加工も含む。
【００７０】
＜３．２  第３実施形態の室外機の変形例＞
次に、本発明の例示的な第３実施形態の空気調和機の室外機の変形例について説明する。図１３は、本発明にかかる空気調和機の室外機の他の例の通風部の断面図である。    
【００７１】
図１３に示すような、通風部４Ｃ２を備えていてもよい。通風部４Ｃ２は、通気孔４３ｃが形成されている部分が、円形部４０ｃに比べて外側に突出した形状となっている。このような形状とすることで、通気孔４３ｃが形成されている部分の外面側から、ファンモータ８のインペラ８１までに隙間Ｌ１を設けることができる。このような、隙間Ｌ１は、通気孔４３から手指の先端が筐体の内部に侵入しても、インペラ８１に接触するまでの隙間とすることができる。例えば、人が、通風部４Ｃ２に触れたとしても、インペラ８１に接触しにくく、傷つきにくくなる。
【００７２】
上述の実施形態において、金属板を折り曲げる場合、材料の弾性変形による戻りを考慮して、底部材２１と前壁２２とがなす角度が、直角よりも小さい角度としている。しかしながら、あまり弾性変形しない材料を用いる場合、弾性変形による戻りを無視することができる。そのため、あまり弾性変形しない材料を用いる場合、底部材２１と前壁２２とがなす角度が直角であってもよい。また、あまり弾性変形しない材料を用いる場合、側壁２３ｂと前壁２２とがなす角度および側壁２４ｂと前壁２２とがなす角度も直角であってもよい。
【００７３】
以上、本発明の実施形態につき説明したが、本発明の範囲はこれに限定されるものではなく、発明の主旨を逸脱しない範囲で種々の変更を加えて実施することができる。また、上記実施形態やその変形例は適宜任意に組み合わせることができる。
【産業上の利用可能性】
【００７４】
本発明は、例えば空気調和機の室外機において利用可能である。
【符号の説明】
【００７５】
１・・・室外機、２・・・筐体、２０・・・脚部、２１・・・底部材、２１１・・・側部取付部材、２１２・・・背面取付部材、２２・・・前壁、２２１・・・開口部、２３・・・側壁、２３１・・・前リブ、２３２・・・後リブ、２３３・・・底部取付部材、２４・・・側壁、２４１・・・前リブ、２４２・・・後リブ、２４３・・・底部取付部材、２５・・・背面板、２６・・・天面板、２６１・・・固定壁、２７・・・リブ、２８・・・吸込口、３、３Ｂ、３Ｂ２、３Ｃ、３Ｃ２・・・金属板、３１・・・第１領域、３１１・・・第１継ぎしろ、３１２・・・第２継ぎしろ、３２・・・第２領域、３２０・・・貫通孔、３３・・・第３領域、３３１・・・第３継ぎしろ、３３０・・・第５継ぎしろ、３４・・・第４領域、３４１・・・第４継ぎしろ、３４０・・・第６継ぎしろ４、４Ｃ、４Ｃ２・・・通風部、４０、４０ｃ・・・円板部、４１、４１ｃ・・・リブ部、４２、４２ｃ・・・ガード部、４３、４３ｃ・・・通気孔、５・・・電源部、６・・・圧縮機、７・・・熱交換器、８・・・ファンモータ、８１・・・インペラ、８２・・・モータ、Ｆｐ・・・固定部材
【図１】
2019032092.tif 000003
【図２】
2019032092.tif 000004
【図３】
2019032092.tif 000005
【図４】
2019032092.tif 000006
【図５】
2019032092.tif 000007
【図６】
2019032092.tif 000008
【図７】
2019032092.tif 000009
【図８】
2019032092.tif 000010
【図９】
2019032092.tif 000011
【図１０】
2019032092.tif 000012
【図１１】
2019032092.tif 000013
【図１２】
2019032092.tif 000014
【図１３】
2019032092.tif 000015